(57)【要約】      （修正有）【課題】拡張カード組み立て構造を提供する。【解決手段】公知のプラスチックフレームとコネクタを、コネクタフレーム１に結合し、更に、上下ハウジング３，４一端の前係固片３１とフック部４１を有した設計で、上下ハウジングは、前係固片とフック部により係接し、コネクタフレーム上に装設される。上下ハウジングは、互いに包覆して一体になる。後蓋カバー体２のニ側に、それぞれ、延伸アーム２１を有し、上下ハウジングのもう一端は、後蓋カバー体上に係合すると共に、延伸アーム上に覆蓋し、これにより、上下ハウジング、コネクタフレーム、及び、後蓋カバー体を拡張カード構造に結合する。【選択図】図３Ａ
0003117315.tif 000002
【実用新案登録請求の範囲】
【請求項１】
拡張カード組み立て構造であって、
後側に、複数の接触端子を有し、前記接触端の尾端は、回路板前端の回路接点と電気的に接続し、相対するニ側辺に、アームを凸設するコネクタフレームと、
二側に、外に向かって延伸する延伸アームをそれぞれ有する後蓋カバー体と、
上下が係合して一体となって、前記回路板を包覆する上下ハウジングとからなり、
前記上ハウジングのニ側辺に装着される前記コネクタフレームの一端は、少なくとも一つの前係固片を有し、前記下ハウジングの相対位置に、少なくとも一つのフック部を有し、前記したハウジングは、前記フック部により、前記コネクタフレームと前記アーム間を穿設すると共に、前記上ハウジングの前記前係固片と一体に係設されて、前記二つのアーム上に装設され、前記上下ハウジングのもう一端は、前記後蓋マスク体上に係合すると共に、前記二つの延伸アーム上を覆蓋して、前記ハウジング、前記コネクタフレーム、及び、前記後蓋マスク体を、拡張カードに結合することを特徴とする拡張カード組み立て構造。
【請求項２】
前記コネクタフレームの一側のアームは、N型連接アームを延伸することを特徴とする請求項１に記載の拡張カード組み立て構造。
【請求項３】
前記上下ハウジングは、前記N型連接アーム上に装設されることを特徴とする請求項２に記載の拡張カード組み立て構造。
【請求項４】
前記上ハウジングの二側辺にそれぞれ、第一湾折部を有し、かつ、前記下ハウジングの相対位置に、それぞれ、第二湾折部を有し、前記上ハウジングの第一湾折部は、前記下ハウジングの第二湾折部上に包覆固設され、前記上下ハウジングを一体にすることを特徴とする請求項１に記載の拡張カード組み立て構造。
【請求項５】
前記拡張カード構造は、ハーフサイズカードであることを特徴とする請求項１に記載の拡張カード組み立て構造。
【請求項６】
前記上下ハウジングは、L型であることを特徴とする請求項３に記載の拡張カード組み立て構造。
【請求項７】
前記上下ハウジングの後端ニ側辺で、且つ、前記後蓋カバー体に近い位置は、それぞれ、後係固片を設置し、且つ、前記後蓋カバー体の上下表面は、スロットを有し、前記上下ハウジングの前記後係固片は、前記後蓋カバー体のスロット内に挿入されることを特徴とする請求項５に記載の拡張カード組み立て構造。
【請求項８】
前記上ハウジング後端は、折片を有し、前記後蓋カバー体上に、凹槽を有し、前記上ハウジングの折片は、前記後蓋カバー体の凹槽に挿入されることを特徴とする請求項７に記載の拡張カード組み立て構造。
【請求項９】
前記拡張カードの構造の組み立て後、その下表面は、孔洞を形成し、解体用とすることを特徴とする請求項１に記載の拡張カード組み立て構造。
【請求項１０】
前記拡張カード構造は、フルサイズカード構造であることを特徴とする請求項１に記載の拡張カード組み立て構造。
【請求項１１】
前記上下ハウジングの後端ニ側辺で、且つ、前記後蓋カバー体に近い位置は、それぞれ、後係固片を設置し、且つ、前記後蓋カバー体の上下表面は、スロットを有し、前記上下ハウジングの前記後係固片は、前記後蓋カバー体のスロット内に挿入されることを特徴とする請求項１０に記載の拡張カード組み立て構造。
【請求項１２】
前記二つの前係固片は、前記上ハウジングのニ側辺に設置され、各前記前係固片は通孔を有し、及び、少なくとも二つのフック部は、前記下ハウジング上に設置され、且つ、前記上ハウジングの前記前係固片の相対位置に位置し、各前記フック部は、内側に湾折した湾折片を有し、前記上ハウジングの前記前係固片の通孔内に係入し、前記上ハウジングの前記前係固片と前記下ハウジングの前記フック部は、一体に係設されることを特徴とする請求項１に記載の拡張カード組み立て構造。
【請求項１３】
前記後蓋カバー体は、相互に係合されて一体となる上後蓋と下後蓋とからなることを特徴とする請求項１０に記載の拡張カード組み立て構造。
【請求項１４】
前記コネクタフレームと前記アーム間に、容置スロットを設置し、前記下ハウジングの前記フック部は、前記容置スロット内に容置されて、その内表面に、緊密に抵接することを特徴とする請求項１に記載の拡張カード組み立て構造。
【請求項１５】
前記N型連接アームの上下表面は、それぞれ、少なくとも一つのスロットを有し、且つ、前記N型連接アームの前記L型ハウジング上の相対位置に、少なくともひとつの係固片を有し、前記L型ハウジングの前記係固片は、それぞれ、前記N型連接アームの前記スロット内に挿設されることを特徴とする請求項６に記載の拡張カード組み立て構造。
【請求項１６】
前記上ハウジングの前記前係固片は通孔を有し、前記下ハウジングの前記フック部は、内に湾折した湾折片を有し、前記上ハウジングの前記前係固片の通孔内に係入して、前記上ハウジングの前記前係固片と前記下ハウジングの前記フック部を一体に係設することを特徴とする請求項１に記載の拡張カード組み立て構造。
【考案の詳細な説明】
【技術分野】
【０００１】
本考案は、拡張カードのハウジング組み立ての改良構造に関するものであって、特に、フルサイズカード、及び、ハーフサイズカードに適用する拡張カード組み立て構造に関するものである。
【背景技術】
【０００２】
電子技術の発展とコンピュータの普及により、情報化アイテムは大部分の人にとって不可欠なものになっている。パソコンやPDA等の一般の携帯式製品において、多くの電子情報商品は小型化の趨勢であり、限られた空間で、製品の功能を拡張するために、拡張カードが誕生し、規格の大きさにより、フルサイズカードとハーフサイズカードに分けられる。
【０００３】
フルサイズカードでも、ハーフサイズカードでも、一般の拡張カードの構造は、プラスチックフレームからなり、上下それぞれに、金属ハウジングを設置すると共に、回路板前端に溶接されたコネクタは、フレーム前端に装設され、回路板を、上下金属ハウジング間に配置し、金属ハウジングの相対するニ側に、均一に、複数個の挿片を設置し、且つ、金属ハウジングの各挿片上に、結合孔を形成する。もう一つの金属ハウジングの挿片上に、外に向かって傾斜した係合片を形成し、二つの金属ハウジングは、結合孔により、係合片と係合して、一体に組み立てられる。また、後蓋を有し、ニ金属ハウジングの後縁に装設する。
【０００４】
しかし、前述の二つの金属ハウジングの結合孔と係合片の構造設計は、係合が緊密であれば、解体が難しく、メンテナンスが困難で、係合が緩いと、結合強度が弱く、拡張カードが力を受けて捻曲する時に結合箇所が開き、拡張カードが損壊する。また、公知の拡張カードの構造であるプラスチックフレーム、コネクタは、それぞれ、独立した素子であり、再加工して組み立てる必要があるので、組み立て工程が増加し、生産時間が延びる。
【０００５】
よって、本考案は、上述の欠点を改善する、高い結合性と組み立てが便利である利点を有する拡張カード組み立て構造を提供する。
【考案の開示】
【考案が解決しようとする課題】
【０００６】
本考案は、拡張カード組み立て構造を提供し、フレームを省略する設計で、安定した結合構造である剛体結合設計を利用し、結合性に優れた拡張カードを組み立て、且つ、解体も可能で、拡張カード内部のメンテナンスを容易にすることを目的とする。
【０００７】
本考案は、アセンブリが簡潔で、自身で組み立てが可能な拡張カードの組み立て構造を提供し、快速、且つ、便利に、組み立て、解体が可能であるという長所を提供することをもう一つの目的とする。
【０００８】
本考案は、拡張カード組み立て構造の上下ハウジングの係固構造を提供し、組み立て後、脱落しにくい利点を提供することを更なる目的とする。
【課題を解決するための手段】
【０００９】
上述の目的を達成するため、本考案の構造は、コネクタフレームからなり、後側に、複数の接触端子を有し、且つ、接触端子の尾端は、回路板前端の回路接点と電気的に接続し、このコネクタフレームの相対するニ側辺に、それぞれ、アームを凸設する。後蓋カバー体の二側辺は、外側に延伸した延伸アームを有する。この他、ハウジングを有し、上下ハウジングからなり、一体に係合して、回路板を包覆する。上ハウジング、下ハウジングの一端のニ側辺に、それぞれ、前係合片とフック部を有する。下ハウジングは、フック部を利用し、コネクタフレームとアーム間を穿設し、上ハウジングの前係固片と一体に係設される。この時、上下ハウジングのもう一側は、後蓋カバー体上に係合して、延伸アーム上に覆蓋され、これにより、ハウジング、コネクタフレーム、及び、後蓋カバー体は、結合されて、拡張カード構造になる。
【００１０】
更に、本考案は、コネクタフレームからなり、後ろ側に複数の接触端子を有し、且つ、接触端子の尾端は、回路板の前端の回路接点と電気的に接続し、このコネクタフレームの相対するニ側辺に、それぞれ、アームを分設する。コネクタフレーム一側のアームは、N型連接アームを延伸し、コネクタフレームの相対するニ側辺に、アームを凸設する。後蓋カバー体の二側辺は、外側に延伸した延伸アームを有する。この他、L型の上下ハウジングからなるハウジングを有し、一体に係合して、回路板を包覆する。L型上ハウジング、下ハウジングの一端のニ側辺に、それぞれ、前係合片とフック部を有する。下ハウジングは、フック部を利用し、コネクタフレームとアーム間を穿設し、上ハウジングの前係固片と一体に係設される。L型上下ハウジングは、二つのアーム、及び、N型連接アームに装設される。この時、L型上下ハウジングのもう一端は、後蓋カバー体上に係合して、延伸アーム上に覆蓋し、これにより、ハウジング、コネクタフレーム、及び、後蓋カバー体は、結合されて、拡張カード構造になる。
【００１１】
上述の二種の実施形態の上ハウジングの前係固片は、通孔を有し、下ハウジングのフック部は、内に湾折した湾折片を有し、上ハウジングの前係固片の通孔内に係入し、上ハウジングの前係固体と下ハウジングのフック部は一体に係設され、上述の二種の実施形態は、ハーフサイズカードとフルサイズカードに適用できる。
【考案の効果】
【００１２】
本考案の拡張カード組み立て構造は、フレームを省略する設計で、安定した結合構造である剛体結合設計を利用し、結合性に優れた拡張カードを組み立て、且つ、解体も可能で、拡張カード内部のメンテナンスを容易にする。
【考案を実施するための最良の形態】
【００１３】
本考案の拡張カードの組み立て構造は、多種の実施形態を有し、第一形態と第二形態に分けて、本考案の構造を説明し、各形態は、ハーフサイズカードとフルサイズカードを含む。
【００１４】
まず、第一形態のハーフサイズカードの構造を説明する。図１、図２、及び、図３Aは、それぞれ、本考案の第一形態の電子ハーフサイズカードの立体構造図、内部構造図、及び、その分解図である。図で示されるように、電子ハーフサイズカードの構造は、コネクタとフレームを結合するコネクタフレーム１からなり、その後側に、複数の接触端子（図示しない）を有し、接触端子の末端は、回路板１１前端の回路接点と電気的に接続されている。コネクタフレーム１の二側辺に、それぞれ、対称のアーム１２を凸設し、且つ、コネクタフレーム１とアーム１２間に、それぞれ、容置スロット１４を設置する。コネクタフレーム１の相対位置に、後蓋カバー体２を設け、その二側辺は、それぞれ、外側に延伸した延伸アーム２１を有する。この後蓋カバー体２ニ側の上下表面に、それぞれ、カードスロット２２を形成し、後蓋カバー体２上に、凹槽２６を有する。二つのカードは一体に結合される上下ハウジング３、４で、通常、金属材質からなり、回路板を包覆する。上ハウジング３後端に、折片３０を有し、上ハウジング３のニ側片に、それぞれ、対称の前係固片３１、及び、第一湾折部３２を有し、且つ、下ハウジング４のニ側辺の相対位置に、それぞれ、フック部４１、及び、第二湾折部４２を有する。下ハウジング４のニ側辺は、後係固片４３を設置する。図３B、及び、図３Cは、本考案の第一形態の電子ハーフサイズカード組み立て構造の異なる位置の断面図であり、同時に、図３D、及び、図３Eで示されるように、上下ハウジング３、４前端のニ側辺の前係固片３１とフック部４１は、コネクタフレーム１の容置スロット内に挿設され、上ハウジング３の前係固片３１は、通孔３４を有し、下ハウジング４のフック部４１は、内側に湾折した湾折片４１２を有する。湾折片４１２の断面図は、図３FのA−A’で示され、下ハウジング４と湾折片４１２の結合箇所に、連接部４１４を有して、湾折片４１２を支承すると共に、受力して変形し、湾折片４１２は、上ハウジング３の前係固片３１の通項３４内に係入する時、湾折片４１２の微湾面積が、上ハウジング３の前係固片３１と下ハウジング４のフック部４１の接触面積と強度を増加し、堅固な結合を達成し、且つ、下ハウジング４後端ニ側辺の後係固片４３は、後蓋カバー体２のカードスロット２２内に挿設される。上下ハウジング３、４一端が、コネクタフレーム１、及び、その二つのアーム１２上に装設され、もう一端が、後蓋カバー体２、及び、延伸アーム２１上に装着される時、上ハウジング３の第一湾折部３２は、下ハウジング４の第二湾折部４２上に固定されて、係合し、これにより、電子ハーフサイズカードの組み立てが完成する。
【００１５】
前記の上下ハウジング３、４の結合設計は、上下ハウジング３、４を結合した後に形成される継ぎ目が、図４で示されるように、電子ハーフサイズカードの下表面に位置し、全体が美観である。ハーフサイズカードの下表面に、孔洞４１５を有し、解体用とする。
【００１６】
ハーフサイズカードを組み立てる時、下ハウジング４は、まず、フック部４１、及び、後係固片４３を、それぞれ、コネクタフレーム１の容置スロット１４、及び、後蓋カバー体２のカードスロット２２内に挿接し、フック部４１が、丁度、容置スロット１４内に容置されて、容置スロット１４内表面に抵接し、暫時、固定される。且つ、下ハウジング４は、アーム１２と延伸アーム２１に抵接して、下ハウジング４を支承すると共に、下ハウジング４とコネクタフレーム１、後蓋カバー体２を一体に結合する。続いて、上ハウジング３は、前係固片３１を利用して、相対するコネクタフレーム１の容置スロット１４に挿接し、前係固片３１と下ハウジング４のフック部４１を緊密に係設し、且つ、上ハウジング３は、アーム１２と延伸アーム２１に抵接し、この時、上ハウジング３の第一湾折部３２は、下ハウジング４の第二湾折部４２を包覆して、係合固定され、上ハウジング３は、下ハウジング４、コネクタフレーム１、及び、後蓋カバー体２を、電子ハーフサイズカード構造に結合する。
【００１７】
ハーフサイズカードに組み立てる工程は、図５Aで示されるように、まず、下ハウジング４の後係固片４３を、後蓋カバー体２の第二スロット２２に照準し、下ハウジング４の後係固片４３を、後蓋カバー体２のカードスロット２２内に挿接し、且つ、手で軽く押さえて、二者を定位させて、図５Bで示されるように、下ハウジング４と後蓋カバー体２の組み立てを完成させる。続いて、図５Cで示されるように、回路板１７を準備し、コネクタフレーム１と連接し、回路板１７のコネクタフレーム１両側の容置スロット１４は、上ハウジング３の３１に照準する。更に、図５Dで示されるように、上ハウジング３の３１を、コネクタフレーム１の容置スロット１４内に挿接して、上ハウジング３、コネクタフレーム１、及び、１７の組み立てを完成させる。続いて、図５Eで示されるように、完成した下ハウジング４と後蓋カバー体２を反転し、下ハウジング４のフック部４１を上ハウジング３のコネクタフレーム１両側の容置スロット１４に照準し、後蓋カバー体２の凹槽２６を上ハウジング３の折片３０に照準し、一体に挿接する。最後に、図５Fで示されるように、手で軽く拡張カード構造の全部分を押さえて、拡張カード構造の組み立てを完成させる。この組み立て方式は、快速、且つ、便利である。
【００１８】
図６Aは、電子ハーフサイズカードの構造の前視図である。組み立て完成後の電子ハーフサイズカードの構造は、テストを経て、構造がテストをパスしなかった場合、回路板、或いは、その他の電子素子に問題があり、構造を解体して問題を検出する必要がある。その解体は、図６B〜図６Fで示され、図３Dと図３Eと共に参照すると、まず、図６Bで示されるように、細棒４１６を準備し、図６Cで示されるように、細棒４１６を容置スロット１４内に挿入し、図６Dで示されるように、細棒４１６は、下ハウジング４のフック部４１の湾折片４１２に接触して、湾折片４１２の湾曲した曲度が変形し、湾折片４１２の湾曲曲度が小さくなる時、湾折片４１２が、前係固片３１の通孔３４を脱離し、容易に解体でき、図６E、及び、図６Fは、それぞれ、解体後の上ハウジング３、及び、下ハウジング４を示す図である。
【００１９】
図６G〜図６Jは、ハーフサイズカード構造の断面図で、ハーフサイズカード構造の係固構造の解体工程を詳細に説明する。図６Gで示されるように、まず、細棒１６を準備し、解体したいハーフサイズカード構造の係固構造上方に放置する。この工程はプレインストールで、図６Hで示されるように、細棒４１６を容置空間に放置し、細棒４１６を下ハウジングの湾折片４１２に接触させ、この工程は予挿入で、図６Iで示されるように、細棒４１６を容置空間に挿入し、容置空間内の湾折片４１２は、細棒４１６の外側への圧力を受けて、湾折片４１２の湾曲曲度が変形する。且つ、湾折片４１２の湾曲曲度は小さくなり、湾折片４１２は、前係固片３１の通孔３４を脱離し、これは、挿入工程である。図６Jで示されるように、下ハウジング４の湾折片が、前係固片３１の通孔３４を脱離する時、ハーフサイズカード構造を、上下ハウジング３、４、及び、コネクタフレーム１に分解し、この工程は分離である。
【００２０】
図７Aは、本考案のハーフサイズカード構造の下表面で、図７B〜図７Dは、ハーフサイズカードの側辺の解体を示す図である。まず、細棒４１６を準備し、下ハウジング４の孔洞４１５上方に放置すると共に、図７Bで示されるように、細棒４１６をA所の孔洞４１５に挿入し、続いて、図７Cで示されるように、細棒を、下ハウジング４の孔洞４１５の上方に放置すると共に、B所の孔洞４１５に挿入する。ハーフサイズカード構造を解体した後、上ハウジング３、及び、下ハウジング４を分離し、分離状態は図７Dで示される。
【００２１】
ハーフサイズカード構造を反転させ、図７Eは、本考案のハーフサイズカード構造の上表面を示す図で、図７F〜図７Hは、ハーフサイズカード構造の側辺の解体を示す図である。図７Fで示されるように、細棒４１６を上ハウジング３の容置スロット１４のC所上方に放置し、C所の容置スロット１４に挿入し、図７Gで示されるように、細棒４１６を、上ハウジング３の容置スロット１４のD所上方に放置し、D所の容置スロット１４に挿入し、図７Hで示されるように、上ハウジング３、及び、下ハウジング４を完全に分離する。
【００２２】
図７Iは、ハーフサイズカード構造解体の立体図で、構造の下表面の孔洞４１５に、細棒４１６を挿入した後、上下ハウジングを解体し、図７Jは、カード構造解体後の内部の回路板１１の下表面の構造を示す図である。図７Kで示されるように、ハーフサイズカード構造の上表面の容置スロット１４に、細棒４１６を挿入した後、上下ハウジングを解体し、図７Lは、ハーフサイズカード構造の解体後の内部の回路板１１の上表面の構造を示す図である。
【００２３】
第一形態のフルサイズカード構造は、図８、及び、図９Aで示されるように、コネクタフレーム１、上下ハウジング３、４、及び、後蓋カバー体２からなり、上下ハウジング３、４は、後蓋カバー体２の一端に、それぞれ、二つの挿接片３５、４４を設けた設計で、後蓋カバー体２は、上下後蓋２３、２４により係合されて構成される。後蓋カバー体２上下表面辺縁で、且つ、挿接片３５、４４に対応する位置に、隙間２５を有し、上下ハウジング３、４の挿接片３５、４４が、組み立て時に、後蓋カバー体２の隙間２５内に挿接されて、上下ハウジング３、４と後蓋カバー体２の結合が堅固になり、その他の構造と組み立て、解体方法は、前述のハーフサイズカードと同様であるので、ここに詳述しない。挿接片３５、４４と隙間２５の詳細な構造設計は、台湾特許第９１２０８２４０を参照する。
【００２４】
図９Bは、フルサイズカード構造の解体立体図である。フルサイズカード構造の下表面の孔洞４１５に、細棒４１６を挿入した後、上下ハウジングを解体し、図９Cは、フルサイズカード構造の解体後の内部の回路板１１の下表面の構造図である。図９Dで示されるように、フルサイズカード構造の上表面の容置スロット１４内に、細棒４１６を挿入した後、上下ハウジングを解体し、図９Eは、フルサイズカード構造解体後の内部の回路板の上表面の構造図である。
【００２５】
続いて、第ニ形態のハーフサイズカード、フルサイズカード構造を説明する。
【００２６】
図１０、及び、図１１は、それぞれ、本考案の第二形態による電子ハーフサイズカード組み立て構造の立体図、及び、分解図である。図で示されるように、このハーフサイズカード組み立て構造は、コネクタフレーム１からなり、その二側辺に、それぞれ、外側に向かって、対称のアーム１２を凸設し、アーム１２は、N型の連接アーム１５を延伸し、且つ、N型連接アーム１５の上下表面に、それぞれ、複数のスロット１６を設置する。コネクタフレーム１の外側に、それぞれ、容置スロット１４を設置する。コネクタフレーム１の相対位置に、後蓋カバー体２を設置し、ニ側辺の上下表面は、それぞれ、スロット２２を形成する。二片は、L型の上下ハウジング５、６に一体に係合され、L型上ハウジング５のニ側辺に、それぞれ、対称の前係固片５１、及び、第一湾折部５２を有し、且つ、下ハウジング６のニ側辺の相対位置に、それぞれ、フック部６１、第二湾折部６２、及び、後係固片６３を有する。N型連接アーム１５の二つのL型ハウジング５、６上の相対位置に、複数の係固片５５、６４を有し、二つのL型ハウジング５、６の係固片５５、６４は、それぞれ、N型連接アームのスロット１６内に挿設される。この他、L型上ハウジング５の前係固片５１は、通孔５４を有し、L型下ハウジング６のフック部６１は、内側に湾折した湾折片６１２である。コネクタフレーム１の容置スロット１４内に装設され、上ハウジング５の前係固片５１の通孔５４と係接される。下ハウジング６の後係固片６３と係固片６４は、それぞれ、後蓋カバー体２のスロット２２とN型連接アーム１５のスロット１６内に挿設され、L型上下ハウジング５、６一端は、コネクタフレーム１、及び、二つのアーム１２上に装設される。もう一端は、後蓋カバー体２、及び、延伸アーム２１上に装着され、この時、L型上ハウジング５の第一湾折部５２は、L型下ハウジング６の第二湾折部６２上に固定されて、係合される。これにより、電子ハーフサイズカード構造を組み立てる。
【００２７】
L型上下ハウジング５、６の結合後に形成される継ぎ目は、電子ハーフサイズカードの下表面に位置し、全体が美観である。
【００２８】
この形態のハーフサイズカードを組み立てる時、L型下ハウジング６は、まず、フック部６１、後係固片６３、及び、係固片６４により、それぞれ、コネクタフレーム１の容置スロット１４、後蓋カバー体２のスロット２２、及び、N型連接アーム１５のスロット１６内に挿接され、フック部６１は、丁度、容置スロット１４内に容置されて、容置スロット１４内表面に抵接し、暫時、固定される。且つ、L型下ハウジング６は、アーム１２と延伸アーム２１に抵接して、L型下ハウジング６を支承すると共に、L型下ハウジング６とコネクタフレーム１、後蓋カバー体２を一体に結合する。続いて、L型上ハウジング５は、前係固片５１、及び、係固片５５を利用して、相対するコネクタフレーム１の容置スロット１４、及び、N型連接アーム１５のスロット１６内に挿接し、前係固片５１とフック部６１を緊密に係設し、且つ、L型上ハウジング５は、アーム１２と延伸アーム２１に抵接し、この時、L型上ハウジング５の第一湾折部５２は、L型下ハウジング６の第二湾折部６２を包覆して、係合固定され、L型上ハウジング５は、L型下ハウジング６、コネクタフレーム１、及び、後蓋カバー体２を、電子ハーフサイズカード構造に結合する。この携帯のハーフサイズカード解体方式は、第一形態のものと同様であるのでここに詳述しない。
【００２９】
第二形態のフルサイズカード構造は、図１２、及び、図１３を参照する。フルサイズカード構造は、コネクタフレーム１、L型上下ハウジング５、６、及び、後蓋カバー体２からなり、L型上下ハウジング５、６は、後蓋カバー体２の一端に装設され、それぞれ、二つの挿接片５６、６５を有する設計である。後蓋カバー体２は、上下後蓋２３、２４により係合されて構成される。後蓋カバー体２上下表面辺縁で、且つ、挿接片５６、６５に対応する位置に、隙間２５を有し、L型上下ハウジング５、６の挿接片５６、６５が、組み立て時に、後蓋カバー体２の隙間２５内に挿接されて、上下ハウジング５、６と後蓋カバー体２の結合が堅固になり、その他の構造と組み立て、解体方法は、前述のハーフサイズカードと同様であるので、ここに詳述しない。
【００３０】
本考案は、コネクタフレームを利用し、公知のコネクタとフレームのニ素子を代替する。故に、フレーム設計が簡潔になり、堅固な結合メカニズムを有する剛体結合設計を利用して、結合性が好ましい拡張カードを組み立て、上下ハウジングの結合構造の設計も簡単、丈夫で、装着、組み立てが簡単であり、解体も可能であり、拡張カードの検査、修理も容易である。
【００３１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００３２】
【図１】本考案の第一形態のハーフサイズカード構造の立体構造図である。
【図２】本考案の第一形態のハーフサイズカード構造の内部構造を示す図である。
【図３Ａ】本考案の第一形態のハーフサイズカード構造の分解図である。
【図３Ｂ】本考案の第一形態のハーフサイズカード構造の断面図である。
【図３Ｃ】本考案の第一形態のハーフサイズカード構造のもう一つの一の断面図である。
【図３Ｄ】本考案の第一形態のハーフサイズカード構造の下ハウジングのフック部の構造を示した図である。
【図３Ｅ】本考案の第一形態のハーフサイズカード構造の上ハウジングの前係固片の構造を示す図である。
【図３Ｆ】本考案の第一形態のハーフサイズカード構造の下ハウジングのフック部の断面図である。
【図４】図１の上視図である。
【図５Ａ】本考案の第一形態のハーフサイズカード構造の組み立て図である。
【図５Ｂ】本考案の第一形態のハーフサイズカード構造の組み立て図である。
【図５Ｃ】本考案の第一形態のハーフサイズカード構造の組み立て図である。
【図５Ｄ】本考案の第一形態のハーフサイズカード構造の組み立て図である。
【図５Ｅ】本考案の第一形態のハーフサイズカード構造の組み立て図である。
【図５Ｆ】本考案の第一形態のハーフサイズカード構造の組み立て図である。
【図６Ａ】本考案の第一形態のハーフサイズカード構造の前視図である。
【図６Ｂ】本考案の第一形態のハーフサイズカード構造の解体図である。
【図６Ｃ】本考案の第一形態のハーフサイズカード構造の解体図である。
【図６Ｄ】本考案の第一形態のハーフサイズカード構造の解体図である。
【図６Ｅ】本考案の第一形態のハーフサイズカード構造の解体図である。
【図６Ｆ】本考案の第一形態のハーフサイズカード構造の解体図である。
【図６Ｇ】本考案の第一形態のハーフサイズカード構造の解体断面図である。
【図６Ｈ】本考案の第一形態のハーフサイズカード構造の解体断面図である。
【図６Ｉ】本考案の第一形態のハーフサイズカード構造の解体断面図である。
【図６Ｊ】本考案の第一形態のハーフサイズカード構造の解体断面図である。
【図７Ａ】本考案の第一形態のハーフサイズカード構造のもう一つの解体図である。
【図７Ｂ】本考案の第一形態のハーフサイズカード構造のもう一つの解体図である。
【図７Ｃ】本考案の第一形態のハーフサイズカード構造のもう一つの解体図である。
【図７Ｄ】本考案の第一形態のハーフサイズカード構造のもう一つの解体図である。
【図７Ｅ】本考案の第一形態のハーフサイズカード構造のもう一つの解体図である。
【図７Ｆ】本考案の第一形態のハーフサイズカード構造のもう一つの解体図である。
【図７Ｇ】本考案の第一形態のハーフサイズカード構造のもう一つの解体図である。
【図７Ｈ】本考案の第一形態のハーフサイズカード構造のもう一つの解体図である。
【図７Ｉ】本考案の第一形態のハーフサイズカード構造の下表面の立体図である。
【図７Ｊ】本考案の第一形態のハーフサイズカードの内部回路板の下表面の構造図である。
【図７Ｋ】本考案の第一形態のハーフサイズカードの上表面の立体図である。
【図７Ｌ】本考案の第一形態のハーフサイズカード構造の内部回路板の上表面の構造図である。
【図８】本考案の第一形態のフルサイズカード構造の立体図である。
【図９Ａ】本考案の第一形態のフルサイズカード構造の分解図である。
【図９Ｂ】本考案の第一形態のフルサイズカード構造の下表面の立体図である。
【図９Ｃ】本考案の第一形態のフルサイズカード構造の内部回路板の下表面の構造図である。
【図９Ｄ】本考案の第一形態のフルサイズカード構造の上表面の立体図である。
【図９Ｅ】本考案の第一形態のフルサイズカード構造の内部回路板の上表面の構造図である。
【図１０】本考案の第ニ形態のハーフサイズカード構造の立体構造図である。
【図１１】本考案の第ニ形態のハーフサイズカード構造の分解図である。
【図１２】本考案の第ニ形態のフルサイズカード構造の立体構造図である。
【図１３】本考案の第ニ形態のフルサイズカード構造の分解図である。
【符号の説明】
【００３３】
１…コネクタフレーム
１１…回路板
１２…アーム
１４…容置スロット
１５…N型連接アーム
１６…スロット
１７…回路板
２…後蓋カバー体
２１…延伸アーム
２２…スロット
２３…上後蓋
２４…下後蓋
３…上ハウジング
３０…折片
３１…前係固片
３２…第一湾折部
３４…通孔
３５…挿接片
４…下ハウジング
４１…フック部
４１２…湾折片
４１４…連接部
４１５…孔洞
４１６…細棒
４２…第二湾折部
４３…後係固片
４４…挿接片
５…L型上ハウジング
５１…前係固片
５２…第一湾折部
５４…通孔
５５…係固片
５６…挿接片
６…L型下ハウジング
６１…フック部
６１２…湾折片
６２…第二湾折部
６３…後係固片
６４…係固片
６５…挿接片
【図１】
0003117315.tif 000003
【図２】
0003117315.tif 000004
【図３Ａ】
0003117315.tif 000005
【図３Ｂ】
0003117315.tif 000006
【図３Ｃ】
0003117315.tif 000007
【図３Ｄ】
0003117315.tif 000008
【図３Ｅ】
0003117315.tif 000009
【図３Ｆ】
0003117315.tif 000010
【図４】
0003117315.tif 000011
【図５Ａ】
0003117315.tif 000012
【図５Ｂ】
0003117315.tif 000013
【図５Ｃ】
0003117315.tif 000014
【図５Ｄ】
0003117315.tif 000015
【図５Ｅ】
0003117315.tif 000016
【図５Ｆ】
0003117315.tif 000017
【図６Ａ】
0003117315.tif 000018
【図６Ｂ】
0003117315.tif 000019
【図６Ｃ】
0003117315.tif 000020
【図６Ｄ】
0003117315.tif 000021
【図６Ｅ】
0003117315.tif 000022
【図６Ｆ】
0003117315.tif 000023
【図６Ｇ】
0003117315.tif 000024
【図６Ｈ】
0003117315.tif 000025
【図６Ｉ】
0003117315.tif 000026
【図６Ｊ】
0003117315.tif 000027
【図７Ａ】
0003117315.tif 000028
【図７Ｂ】
0003117315.tif 000029
【図７Ｃ】
0003117315.tif 000030
【図７Ｄ】
0003117315.tif 000031
【図７Ｅ】
0003117315.tif 000032
【図７Ｆ】
0003117315.tif 000033
【図７Ｇ】
0003117315.tif 000034
【図７Ｈ】
0003117315.tif 000035
【図７Ｉ】
0003117315.tif 000036
【図７Ｊ】
0003117315.tif 000037
【図７Ｋ】
0003117315.tif 000038
【図７Ｌ】
0003117315.tif 000039
【図８】
0003117315.tif 000040
【図９Ａ】
0003117315.tif 000041
【図９Ｂ】
0003117315.tif 000042
【図９Ｃ】
0003117315.tif 000043
【図９Ｄ】
0003117315.tif 000044
【図９Ｅ】
0003117315.tif 000045
【図１０】
0003117315.tif 000046
【図１１】
0003117315.tif 000047
【図１２】
0003117315.tif 000048
【図１３】
0003117315.tif 000049